(57)【要約】      （修正有）【課題】米及び穀物が受ける紫外線、外気熱、電磁波、放射線を遮蔽して、安全に保管する為にビニ−ルシ−ト、アルミニウム板で遮蔽する。【解決手段】米穀物を安全保管するためにビニ−ルシ−ト４、１３やアルミニウム板５、１２以外に不織布６にロ−ズヒップスを糊状にして塗布し乾燥後に放射線測定器を使い其の能力を探し其れに遭わせて重ね合わせ枚数を決定し安全な米の保存袋１を作る。【選択図】図１
2012206778.tif 000002
【特許請求の範囲】
【請求項１】
米、及び穀物一式の安全な保存袋の製造方法につき、保存能力を発揮する素材選びが大切な役目、ビニ−ルシ−ト、アルミニウム板、フェライトメタル、混合カルシウム、銀殺菌セラミックス、純銅加工品、厚生地不織布、ロ−ズヒップス、紐、ジッパ−を製作前に個々の性能を活かし、固定準備加工を必要とする特徴、紫外線、電磁波、放射線を遮蔽する米の保存袋製造方法。
【請求項２】
紫外線、外気熱量、電磁波及び放射線の遮蔽は、請求項１記載に示す素材中より、選び出し選ばれた素材の吟味は放射線濃度測定器を使い、ビニ−ルシ−トやアルミニウム板、不織布を重ねて遮蔽能力を調べ、目的の必要量枚数を決定する特徴を有する、請求項１記載の紫外線、電磁波、放射線を遮蔽する米の保存袋製造方法。
【請求項３】
米、及び穀物一式に栄養成分維持に、請求項１記載に示す素材の中より選び出した、ロ−ズヒップスは殆ど外国産で低温消毒が必要、更に保管中に風味変化を抑える、特にビタミンＣやビタミンＡ，Ｂ，Ｅ，を多く含む、ビタミンＣは熱を加えると壊れる為に、最初に密封電気炉低温でビタミンＣの記憶焼成が必要とされる特徴、請求項１記載の紫外線、電磁波、放射線を遮蔽する米の保存袋製造方法。
【請求項４】
米、及び穀物一式の保存方法として、請求項１記載に示す素材の中より選び出し不織布の厚い生地を使う、ロ−ズヒップスを粉末にして糊剤と紺練し、不織布に塗布し乾燥、此の生地は厚い為ロ−ズヒップスのビタミンＣの香りを長期間吸蔵し、米、及び穀物一式の鮮度を保つ、更に外側のビニ−ルシ−ト、アルミニウム板の遮蔽で重ね合わせのシ−トが出来上がり、其のシ−トを袋に仕立てる特徴を有する、請求項１記載の紫外線、電磁波、放射線を遮蔽する米の保存袋製造方法。
【請求項５】
米、及び穀物一式に栄養素を含と害虫繁殖が始まり、その害虫を死滅させる為に、請求項１記載に示す素材の中より選び出し、純銅粉末を糊材と紺練し不織布に塗布し乾燥、その上に銀混合セラミックス粒状を敷く、此のシ−トを袋の底部に敷き、食用米、穀物が直接触れないように不織布を挟む、更にビニ−ルシ−ト、アルミニウム板で周囲を囲む関係上、殺菌能力臭が袋全体に充満し害虫を死滅させる特徴を有する、請求項１記載の紫外線、電磁波、放射線を遮蔽する米の保存袋製造方法。
【請求項６】
米、及び穀物一式を保管する場合に塩素系で消毒する場合、水道水同様に塩素消毒中和剤混合カルシウムを使う、米、穀物の酸化防止にも役立つ、本発明の袋はビニ−ルシ−トやアルミニウム板で遮蔽、更に素材全体の効力を発揮する為にフェライトメタルを袋の底に敷く其の効力は異常に発揮能力持つ尚最終は裁断、糊剤、ミシン縫い、袋の口は紐、ジッパ−、チャック等の密封でご飯が美味となり保管時間が長くなると尚一層美味しくなる発明の特徴、請求項１記載の紫外線、電磁波、放射線を遮蔽する米の保存袋製造方法。
【発明の詳細な説明】
【技術分野】
【０００１】  本発明は、米、及び穀物一式を紫外線、外気熱、電磁波及び放射線を遮蔽して被曝を避け、安全なビタミンを多く含む米の保存袋とする。
【背景技術】
【０００２】  従来は、食品保存に紫外線、電磁波、放射線の遮蔽にビニ−ルシ−トやアルミニウム板を放射物質遮蔽とし袋に仕立て食品安全袋として実用化したことはない。【０００３】  ビタミンＣ，Ａ，Ｂ，Ｅを多く含むロ−ズヒップスで米、穀物の鮮度保持として使われることはない、更に密封袋にして銀粉の殺菌臭充満で害虫駆除袋製作なし。
【発明の開示】
【発明が解決しようとする課題】
【０００４】  従来及び、現在もロ−ズヒップスのビタミンで穀物の鮮度保持は考えられていない、そして、ロ−ズヒップスのビタミンＡ，Ｂ，Ｃ，Ｅの栄養素を穀物に付着させることは、其の穀物を食する時に非常に有益な栄養素である。【０００５】  また、食用米、及び穀物一式に繁殖する害虫駆除に純銅粉体を糊材と加工し不織布に塗布し乾燥して害虫駆除の不織布シ−トの作成である。
【課題を解決するための手段】
【０００６】  本発明の基本、米、穀物一式の安全な保存袋製作に着き其の袋に使われる素材一式の効果有る素材の収集それを選び出すことと更に最初の固定加工が大切である。【０００７】  また、紫外線、電磁波及び放射線の遮蔽は本発明の保存袋に保存される穀物のビタミン系列全般を破壊する恐れが有るので遮蔽する素材吟味が大切である。【０００８】  そして、米穀物にロ−ズヒップスのビタミン系列の香りや栄養素をビニ−ルシ−トやアルミニュウム板の密封の為袋全体に充満し安全な保存方法とする事である。【０００９】  また、米穀物に避けて通れない梅雨場、夏に懸けて虫、害虫繁殖に悩まされる、此の害虫駆除に純銅を不織布に塗布する方法や銀混合セラミックスで完全に退治することが出来る発明である。
【発明の効果】
【００１０】  本発明は請求項１記載より順序に従い請求項５記載に至るまで的確な作業を実施することにより、食用米、及び穀物一式の安全な保存袋とすることができる。
【発明を実施するための最良の形態】
【００１１】  本発明は、食品に対して今まで使用者の方々は穀物の保存に着いて色々と工夫を為されているが、皆、薬品やトウガラシなどで其の成果を試みていたが結果は安全面からすると結果は良くない。【００１２】  そこで、本発明が生まれた其の基本は、不織布などの素材吟味とそれらの素材の長所を充分に活かして製作した結果によるものである。
【実施例】
【００１３】  本発明は、米、及び穀物一式の安全な保存袋製作につきその成果を発揮する為に、最初に本製品に必要な素材一つ一つの固定加工が第一に必要である。【００１４】  請求項１記載の素材全部を最初に固定加工した後に本製造に移る、例として、不織布は長尺物で純銅の粉末糊状を長期間吸着保存できる素材を選ぶ。【００１５】  磁性体セラミックスは磁性覆わせたセラミックス、フェライトで製作した円形メタルをつくる、混合カルシウムは、素材全体のアルカリ、酸性度で配合を決定する。【００１６】  よた、銀混入セラミックスは、害虫死滅に必要な素材で有る、しかし、単価が高額で有る為にセラミックス小粒のペレットで大切に袋の底部に配布する。【００１７】  請求項２記載に示した通り、米、及び穀物一式を保存する為に請求項１記載の中より、紫外線、外気熱量、電磁波及び放射線の遮蔽は穀物に対しては重大な弊害を受ける。【００１８】  そこで、本発明に示すビニ−ルシ−トやミニゥム板の遮蔽は、紫外線、外気熱量、家庭内から受ける電磁波、及び放射線の遮蔽に役立つその濃度は放射線測定器を使い、正しい線量を選び出し正確なる保存袋を作ることができる。【００１９】  例として、紫外線一つ取ってもビタミンＣは紫外線を受けると一揆にビタミンＣを破壊する、ここでビタミンＣで穀物の鮮度を保つ上で重大な監視が必要とされる。【００２０】  請求項３記載に示す素材の応用方法は、過去、現在も実施されていない、ロ−ズヒップスは一般にハ−ブティとして高く評価されている、しかし、本発明の目的はロ−ズヒップスのビタミン系列を長期間保護する工夫が発明の基本である。【００２１】  ロ−ズヒップスは、栄養素を多く含みその栄養素長期間保持させるそこで本発明のロ−ズヒップスは、仕入れた素材全部を低温消毒作業が必要とする。【００２２】  また、ビタミン系列を保管中に風味変化を避ける為に密封低温のビタミンＣの記憶焼成が必要、此の順序正しく作業する、四季を通し５年以上は保管できる。【００２３】  請求項４記載に示すように、請求項３記載の中より、製品化、前に此処の素材準備加工を終えた、ロ−ズヒップスを、粉砕にして糊材と紺練し不織布の厚い生地に塗布する、厚い不織布生地はロ−ズヒップスのビタミンＣやその香りを長期間吸蔵し穀物の鮮度を保つ。【００２４】  更に、ビニ−ルシ−トやアルミニゥム板の遮蔽で尚相乗効果を発揮することが出来る加工方法である。【００２５】  そして、本開発の不織布は外側よりビニ−ルシ−ト、次アルミニユウム板、次ロ−ズヒップスの塗布シ−ト、次混合カルシウム塗布シ−トで形成された横側に張る一枚のシ−トに仕上げる。【００２６】請求項５記載に示す害虫駆除については、一般に米、や穀物にビタミンの栄養素を付着させると害虫の繁殖は避けられないことが一般に考えられる。【００２７】  そこで、本発明は、純銅を微粉砕にして糊と紺練し、不織布に塗布する、この生地は袋の底部に敷き害虫駆除に大きく役立つ安価で製品化に仕上がる。【００２８】  しかし、害虫にも種類が多く協力な力を持つ害虫及び雑菌に対して強力な殺菌方法として、銀の混入セラミックス小粒ペレットを作り、純銅生地の上にのせる。【００２９】  そして、純銅の塗布生地や銀混入セ���ミックスを敷いた生地には直接穀物が着かないように不織布を間に挟む、更に本発明特有のビニ−ルシ−トやアルミニゥムで周囲を密封させることを絶えず考慮に入れる。【００３０】  請求項６記載に示した通り、食用米、及び穀物一式を長期間保管する場合は、水道水同様塩素消毒された場合は、塩素の中和剤混合カルシゥムを使い米を中和して洗い流しご飯として炊くと非常に美味に成る特徴を有する。【００３１】  また、混合カルシゥムは、米、穀物一式を保管中に酸化防止に役立つ、そして、本発明特有のビニ−ルシ−トやアルミニゥム板で遮蔽することで、混合カルシゥムの使用料が少量で済む。【００３２】  そして、今回の発明に使われるフェライトメタルは磁性材料で有るために微弱なスピンを多く放出する、そこで、スビンのエネルギ−が袋の中全般に行き渡り、此処の素材の効力を米、穀物一式に配布する特徴を有する。【００３３】  保管袋最後の説明として、袋の口は、紐、ジッパ−、チャックで密封し、安全な保存袋としてビタミンＣの香りと共に社会の皆様に喜ばれる穀物保存袋とする。
【発明の効果】
【００３４】  本発明は一般に考えられない、ロ−ズヒップスのビタミン系列で食用米、及び穀物一式の安全な保存袋を作りした点、この袋は大量生産が出来て尚安価で仕上がる。
【００３５】  また、紫外線、外気熱量、電磁波、及び放射線の遮蔽で食物の栄養成分を安全に保護し更に食物を長期間保存可能にする。
【００３６】  そして、備蓄米の保管のために消毒剤を使い害虫防除に対しても、混合カルシゥムで中和処理して美味しい米に仕上がり社会より喜びを受ける発明である。
【図面の簡単な説明】
【００３７】
【図１】此の発明の目的は米、及び穀物保存に紫外線、外気熱量、電磁波、及び放射線の遮蔽をする状態の図である。
【図２】此の図は米、及び穀物一式を入れて保管する保管袋の下にフェライトの円形メタルを収めた内容である。
【符号の説明】
【００３８】１  〜  安全な保存袋の全体図。
２  〜  米、及び穀物一式。
３  〜  内側の不織布。
４  〜  外側のビニ−ルシ−ト。
５  〜  アルミニウムの遮蔽板。
６  〜  ロ−ズヒップスの糊状紺練塗布したシ−ト。
７  〜  混合カルシウムの塗布シ−ト
８  〜  紐、ジッパ−、チャックで締める。
９  〜  底の不織布。
１０  〜  混合カルシウムシ−ト。
１１  〜  純銅粉末不織布に塗不したシ−トの上にフェライトメタル。
１２  〜  アルミニウムの遮蔽板。
１３  〜  外側のビニ−ルシ−ト。
１４  〜  米、穀物入りの袋の底部。
１５  〜  フェライト円形メタル。
【図１】
2012206778.tif 000003
【図２】
2012206778.tif 000004
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
米、及び穀物一式の安全な保存容器の内側は全て袋、外側は袋と箱に仕立てる製造方法、保存能力を発揮する素材選びが大切な役目、アルミニウム板、磁性体セラミックス、亜硫酸カルシウム、銀殺菌セラミックス、純銅細薄板、ゼオライト系鉱物、沸石類、クリノプチロライト、磁力線、遷移元素、レアメタル、発泡スチロール、不織布、ローズヒップス、紐、ジッパーを製作前に個々の性能を確認し適材適所に活用すると広く製品化することが出来る、更に遮蔽能力の確認は放射線測定器を必要とする特徴の発明である、紫外線、電磁波、放射線を遮蔽する米の保存容器製造方法。
【請求項２】
米、及び穀物一式の栄養成分維持に、請求項１記載に示す素材の中より選び出した、ローズヒップスは殆ど外国産で低温消毒が必要、更に保管中に風味変化を抑える、特にビタミンＣやビタミンＡ，Ｂ，Ｅ，を多く含む、ビタミンＣは熱を加えると壊れる為に、最初に密封電気炉低温でビタミンＣの記憶焼成が必要とされる、水道水を必要な場合は亜硫酸カルシゥムを混入して残留塩素を廃除した水を使う特徴を有する、請求項１記載の紫外線、電磁波、放射線を遮蔽する米の保存容器製造方法。
【請求項３】
米、及び穀物一式の保存方法として、請求項１記載に示す素材の中より選び出した、不織布の厚い生地を使う、ローズヒップスを粉末にして不織布に塗布し乾燥、此の生地は厚い為ローズヒップスのビタミンＣの香りを長期間吸蔵し、米、及び穀物一式の鮮度保持に大きく役立つ、更に外側にアルミニウム板で重ね合わせ本機能の遮蔽シートが出来上がり、其のシートを袋に仕立てる前提としてその有効性をよく吟味する必要性を有する、請求項１記載の紫外線、電磁波、放射線を遮蔽する米の保存容器製造方法。
【請求項４】
米、及び穀物一式の保存方法の中で栄養素が含まれると害虫繁殖が始まり、その害虫を死滅させる為に、請求項１記載に示す素材の中より選び出し、純銅細薄板を混入、更に銀殺菌セラミックス粒状と混合し複合殺菌能力を高める、此の混合シートを袋の底部に敷き、食用米、穀物が直接触れないように不織布を挟む、更に袋の周囲をアルミニウム薄板をミシンで縫付ける関係上、殺菌臭が袋全体に充満し害虫を死滅させる特徴を有する、請求項１記載の紫外線、電磁波、放射線を遮蔽する米の保存容器製造方法。
【請求項５】
米、及び穀物一式の保存方法により、請求項１記載に示す素材の中より選び出し、選ばれた本発明のアルミニウム板を蓋付箱に仕立てる、この方法が最高値に放射線を遮蔽する、また、請求項５記載通りのローズヒップスの不織布を中袋に仕立てその下に、混合カルシウム、純銅細薄板、磁性体セラミックス、銀殺菌セラミックスの複合殺菌を起させて、不織布に挟み周囲をミシン仕上げとして、袋の下に敷く、中袋の口は紐、ジッパー、チャック等で密封する、、尚金属や酸化度の激しい場合は純銅細薄板と磁性体の混合割合量の吟味が必要とされる発明を有する請求項１記載の紫外線、電磁波、放射線を遮蔽する米の保存容器製造方法。
【請求項６】
米、及び穀物一式の保存方法として、米や穀物に放射線が付着している場合の除線方法として、請求項１記載に示す素材の中より選び出し、選ばれたゼオライト系鉱物を基本素材とする、その種類は甚だ多い中で沸石類の特性として、陽イオン交換容量の大きい特性を持つ、クリノプチロライトを主体としその効力特有の吸着性、吸収性、吸蔵性は、孔穴の変形により、その効力を発揮する、穀物に放射線が付着している場合は、其れに合った孔穴性を選ぶ、放射線も種類が多くそれを丹念に取り出すことはこの簡単な設備では不可能である、そこで、問題の放射線の除線方法として、放射線の遮蔽に満ちている密封容器程其の効果が高い、そこで穀物に固定している放射線を不安定化させる、特に粒子の大きい放射線程固定化する、その為に密封容器の中で、沸石と遷移元素を持つ原子、レアメタルの中より選び出し、沸石鉱物と混合し更に焼成時に炭化物を含ませる、更に粘土化の薄い鉱物と混合し沸石球状セラミックスを大きく製作する技術が必要、中心に穴を開ける其の効果は穀物などに付着固定している放射線を、壊変、崩壊、が目的である、巨大粒子を持つアルファ線などが穀物に固定した場合には、今回発明の沸石ボールより多大な種類を持つ微弱エネルギーで突き上げ放射する、そこで、沸石ボールの得意性である吸収、吸蔵、吸吐で容器内の放射線の除線を目的とする、尚、除線量は放射線測定機で確認する、脱臭効果抜群の為、放射線物質と同時吸収の為、満杯時には洗浄乾燥で数回使用可能な特徴を有する請求項１記載の紫外線、電磁波、放射線を遮蔽する米の保存容器製造方法。
【手続補正２】
【補正対象書類名】明細書
【補正対象項目名】全文
【補正方法】変更
【補正の内容】
【発明の詳細な説明】
【技術分野】
【０００１】  本発明は、米、及び穀物一式を紫外線、外気熱、電磁波及び放射線を遮蔽して被曝を避け、安全なビタミンを多く含む米の保存容器とする。
【背景技術】
【０００２】  従来は、食品保存に紫外線、電磁波、放射線の遮蔽にアルミニウム板を放射物質遮蔽とし容器に仕立て食品安全容器として実用化したことはない。【０００３】  ビタミンＣ，Ａ，Ｂ，Ｅを多く含むローズヒップスで米、穀物の鮮度保持として使われることはない、更に密封容器にして銀混合セラミックスと純銅細薄板と複合殺菌臭充満で害虫駆除容器の製作なし。
【発明の開示】
【発明が解決しようとする課題】
【０００４】  従来及び、現在もローズヒップスのビタミンで穀物の鮮度保持は考えられていない、そして、ローズヒップスのビタミンＡ，Ｂ，Ｃ，Ｅの栄養素を穀物に付着させることは、其の穀物を食する時に非常に有益な栄養素である。【０００５】  また、食用米、及び穀物一式に繁殖する害虫駆除に純銅細薄板を加工し其の中にローズヒップス粉対を糊状にして不織布に塗布し乾燥、害虫駆除の不織布シートの作成である。
【課題を解決するための手段】
【０００６】  本発明の基本、米、穀物一式の安全な保存容器製作に着き其の容器に使われる素材一式の効果有る素材の収集それを選び出すことと更に最初の固定加工が大切である。【０００７】  また、紫外線、電磁波及び放射線の遮蔽は本発明の保存袋に保存される穀物のビタミン系列全般を破壊する恐れが有るので遮蔽する素材吟味が大切である。【０００８】  そして、米穀物にローズヒップスのビタミン系列の香りや栄養素をアルミニウム板の密封の為袋全体に充満し安全な保存方法とする事である。【０００９】  また、米穀物に避けて通れない梅雨場、夏に懸けて虫、害虫繁殖に悩まされる、此の害虫駆除に純銅細薄板を不織布の中に入れて銀混合セラミックスで完全な複合殺菌や害虫退治することが出来る発明である。
【発明の効果】
【００１０】  本発明は請求項１記載より順序に従い請求項５記載に至るまで的確な作業を実施することにより、食用米、及び穀物一式の安全な保存袋とすることができる。
【発明を実施するための最良の形態】
【００１１】  本発明は、食品に対して今まで使用者の方々は穀物の保存に着いて色々と工夫を為されているが、皆、薬品やトウガラシなどで其の成果を試みていたが安全面からすると結果は良くない。【００１２】  そこで、本発明が生まれた其の基本は、不織布などの素材吟味とそれらの素材の長所を充分に活かして製作した結果によるものである。
【実施例】
【００１３】  本発明は、米、及び穀物一式の安全な保存容器製作につきその成果を発揮する為に、最初に本製品に必要な素材一つ一つの固定加工が必要である。【００１４】  請求項１記載の素材全部を最初に固定加工した後に本製造に移る、例として、不織布は長尺物で最初にローズヒップスの粉体を塗布し準備する、純銅細薄板と銀粉混合セラミックスの複合殺菌は確実な殺菌方法で有る。【００１５】  磁性体セラミックスは磁性覆わせたセラミックス、フェライトで製作し円形メタルをつくる、混合カルシウムは、素材全体のアルカリ、酸性度で配合を決定する。【００１６】  また、銀混入セラミックスは、害虫死滅に必要な素材で有る、しかし、単価が高額で有る為にセラミックス小粒のペレットで大切に袋の底部に配布する。【００１７】  請求項２記載に示した通り、米、及び穀物一式を保存する為に請求項１記載の中より、紫外線、外気熱量、電磁波及び放射線の遮蔽は穀物に対しては重大な弊害を受ける。【００１８】  そこで、本発明に示すアルミニウム板の遮蔽は、紫外線、外気熱量、家庭内から受ける電磁波、及び放射線の遮蔽に役立つその濃度は放射線測定器を使い、正しい線量を選び出し正確なる保存中袋、外側はアルミニウム薄板袋とアルミニウム厚板で箱を作り確実な性能を製作することが出来る。【００１９】  例として、紫外線一つ取ってもビタミンＣは紫外線を受けると一揆にビタミンＣを破壊する、ビタミンＣは穀物の鮮度を保つ上で重大な監視が必要とされる。
又、水道水を組み込む場合は亜硫酸カルシウムを複合により残留塩素除去する場合もある。【００２０】  素材の応用方法は、過去、現在も実施されていない、ローズヒップスは一般にハーブティとして高く評価されている、しかし、本発明の目的はローズヒップスのビタミン系を長期間保護する工天が発明の基本である。【００２１】  ローズヒップスは、栄養素を多く含みその栄養素長期間保持させるそこで本発明のローズヒップスは、仕入れた素材全部を低温消毒作業が必要とする。【００２２】  また、ビタミン系を保管中に風味変化を避ける為に密封低温のビタミンＣの記憶焼成が必要、此の順序正しく作業すると長期間保管できる。【００２３】  請求項３記載に示すように、製品化前に此処の素材準備加工を終えた、ローズヒップスを、粉砕にして糊材と紺練し不織布の厚い生地に塗布する、厚い不織布生地はローズヒップスのビタミンＣやその香りを長期間吸蔵し穀物の鮮度を保つ。【００２４】  更に、ビニールシートやアルミニゥム板の遮蔽で尚相乗効果を発揮することが出来る加工方法である。【００２５】  そして、本開発の不織布の外側はアルミニウム板、次ローズヒップスの塗布シート、次混合カルシウム塗布シートで形成された横側に張る一枚のシートに仕上げる。【００２６】  請求項４記載に示す害虫駆除については、一般に米、や穀物にビタミンの栄養素を付着させると害虫の繁殖は避けられないことが一般に考えられる。【００２７】  そこで、本発明は、純銅細薄板と銀粉混合セラミックスの複合加工し不織布生地に入れ袋の底部に敷き害虫駆除に役立ち安価で製品化に仕上がる。【００２８】  そして、純銅細薄板の塗布生地や銀混入セラミックスを敷いた生地には直接穀物が着かないように不織布を間に挟む、更に本発明特有のアルミニウム板で周囲を密封させることを絶えず考慮に入れる。【００２９】  請求項５記載に示した通り、食用米、及び穀物一式を長期間保管する場合は、中和剤の亜硫酸カルシウムを使い米を中和して洗い流しご飯として炊くと非常に美味に成る特徴を有する。【００３１】  また、混合カルシウムは、米、穀物一式を保管中に酸化防止に役立つ、そして、本発明特有のアルミニゥム板で遮蔽することで、亜硫酸カルシウムの使用料が少量で済む。【００３２】  そして、今回の発明に使われるフェライトメタルは磁性材料で有るために微弱なスピンを多く放出する、そこで、スビンのエネルギーが袋の中全般に行き渡り、此処の素材の効力を米、穀物一式に配布する特徴を有する。【００３３】  保管袋最後の説明として、袋の口は、紐、ジッパー、チャックで密封し、安全な保存袋としてビタミンＣの香りと共に社会の皆様に喜ばれる穀物保存袋とする。【００３４】  請求項６記載内容に示す、米や穀物に放射線が付着した場合の除線方法の基本は、放射線を吸着が問題視され、吸着物の排除方法が重要である。【００３５】  そこで、吸着方法でなく、吸収方法を取らなければ成らない、吸収方法を実現するには、ゼオライト系列の沸石を選ぶ、更に陽イオン交換容量の大きい特性を持つクリノプチロライトを主体とする。【００３６】  そこで、放射線遮蔽できる固定容器が必要である、其の固定容器内で付着した放射線を不安定化させる、方法は穀物に���着している放射線を微弱なエネルギーで突き上げて不安定にして、壊変を起す更にその物質を崩壊させる。【００３７】  除線方法に使う沸石に吸臓させるエネルギーとして、遷移金属の応用吟味を大切に持つ、レアメタルの中の金属選びには、必ず起きる沸石との混合性によるものである。【００３８】  此処で沸石と遷移金属混合セラミックスボールの製造技術が確実に実行すると沸石ボールが壊変を起したエネルギーを吸収し時間と共に崩壊させる、その物質を沸石特有の吸収、吸臓し密封容器内で放射線を除線する。
【発明の効果】
【００３９】  本発明は一般に考えられない、ローズヒップスのビタミン系列で食用米、及び穀物一式の安全な保存袋を作りした点、この袋は大量生産が出来て尚安価で仕上がる。
【００４０】  また、紫外線、外気熱量、電磁波、及び放射線の遮蔽で食物の栄養成分を安全に保護し更に食物を長期間保存可能にする。
【００４１】  そして、備蓄米の保管のために消毒剤を使い害虫防除に対しても、亜硫酸カルシゥムと純銅細薄板の混合中和処理方法で美味しい米に仕上がり社会より喜びを受ける発明である。
【図面の簡単な説明】
【００４２】
【図１】此の発明の目的は米、及び穀物保存に紫外線、外気熱量、電磁波、及び放射線の遮蔽をする状態の図である。
【図２】此の図は米、及び穀物一式を入れて保管する保管袋の下にフェライトの円形メタルを収めた内容である。
【図３】米、及び穀物の紫外線、電磁波、放射線を遮蔽する為に中袋、外側はアルミニウムの箱とした。
【符号の説明】
【００４３】  １  〜  安全な保存袋の全体図。
２  〜  米、及び穀物一式。
３  〜  内側の不織布。
４  〜  外側のビニールシート。
６  〜  アルミニウムの遮蔽板。
６  〜  ローズヒップスの糊状紺練塗布したシート。
７  〜  混合カルシウムの塗布シート
８  〜  紐、ジッパー、チャックで締める。
９  〜  底の不織布。
１０  〜  混合カルシウムシート。
１１  〜  純銅粉末不織布に塗不したシートの上にフェライトメタル。
１２  〜  アルミニウムの遮蔽板。
１３  〜  外側のビニールシート。
１４  〜  米、穀物入りの袋の底部。
１５  〜  フェライト円形メタル。
１６  〜  アルミニウムの箱蓋。
１７  〜  アルミニウムの箱。
１８  〜  箱のキャースター４ケ所。
１９  〜  箱蓋の取って３ケ所。
２０  〜  紐、ジッパー、チャックで締め付ける。
２１  〜  内側不織布、米が着かない為。
２２  〜  不織布にローズヒップス塗布した生地。
２３  〜  不織布を仕上げミシン縫いした生地。
２４  〜  外側は横と同じくローズヒップスの袋。
２５  〜  ミシン仕上げした生地。
２６  〜  磁性材料メタル。
２７  〜  沸石の素材のボール。
２８  〜  沸石素材生地の孔穴。
２９  〜  沸石ボールの中心の穴。
３０  〜  沸石に遷移元素、レアメタルの混合ボール。
【手続補正３】
【補正対象書類名】図面
【補正対象項目名】全図
【補正方法】変更
【補正の内容】
【図１】
2012206778.tif 000005
【図２】
2012206778.tif 000006
【図３】
2012206778.tif 000007
【手続補正書】
【提出日】平成23年12月23日(2011.12.23)
【手続補正１】
【補正対象書類名】特許請求の範囲
【補正対象項目名】全文
【補正方法】変更
【補正の内容】
【特許請求の範囲】
【請求項１】
米、及び穀物、食品一式の安全な容器作成に当り、放射線、紫外線、電磁波を遮蔽する為外側は全て、アルミニウムの箱類、また、袋仕立てにする時はアルミにウムを混入した生地で外観を遮蔽する、保存能力を発揮する素材選びが大切な役目である、其の素材を効率よく固定する為に備蓄容量の高い不織布に付着させる方法を選ぶ、付着させる素材は主にローズヒップス、必要な素材として、アルミニウム板、アルミシート類、磁性体セラミックス、亜硫酸カルシウム、銀殺菌セラミックス、純銅薄板、ゼオライト系鉱物、沸石、クリノプチロライト、薬石、麦飯石、磁力線、レアメタル、遷移金属、放射性物質の防護材として、カリウム、カルシウム、ストロンチウム、マグネシウム、亜鉛を準備する、共通材として、発泡スチロール、不織布、紐類、ジッパー、外紙を製作前に個々の性能を確認し適材適所に活用すると広く製品化することが出来る、更に遮蔽能力の確認は放射線測定器を必要とする特徴の発明である、紫外線、電磁波、放射線を遮蔽する米の保存容器製造方法。原始
【請求項２】
米、及び穀物一式の栄養成分を維持する原始としてローズヒップスを選ぶ、請求項１記載に示す素材中より選び出した、ローズヒップスは殆ど外国産で残留農薬など心配も有り、還元記憶焼成が特に必要、更に保管中に風味変化を起させない、また、天然植のローズヒップスはバラ化の為細いトゲがある、このトゲを取り除く為と害虫繁殖駆除に熱処理が欠かすことの出来ない発明である、此の加工技法を丁寧に行えば一年四季を通じて５、６年は害虫の発生も無く、ビタミン類の変化も無く保存することが出来る、また、薬品のビタミンＣ（アスコルビン酸）は非常に熱に弱い難点がある、しかし、天然のビタミンの宝庫、ローズヒップスのビタミンＣは熱を加える時にビタミンＰによって保護されることで加熱しても壊れない得点を有する、更にＢ−カロテンやビタミンＡ，Ｂ，Ｅを多く含む、ローズヒップスの食品に対して安全な保存方法の絆として誇りが持てる特長を有する、請求項１記載の紫外線、電磁波、放射線を遮蔽する米の保存容器製造方法。
【請求項３】
米、及び穀物一式の保存方法の一端として安全なシートを作る為、請求項１記載に示す素材の中より選び出し、選ばれた不織布は風圧生地を使う、ローズヒップス粉末を水と紺練し不織布に塗布、乾燥、此の生地は風圧の為に香りを長期間米に分配し、白米、及び穀物一式の鮮度保存能力を高める、此の加工方法は、塗布の技法を習得すれば簡単で尚安価で大量生産可能、更に安全な保存機能はローズヒップスが持つ多くのビタミンの薬効によるものである、尚、外側にアルミニウムシートを重ね合わせると、本機能の遮蔽シートが出来上がり其のシートを袋に仕立てることが最大の目的である、また、不織布のみを二重に重ね自由仕立てにすることが出来る発明である、請求項１記載の紫外線、電磁波、放射線を遮蔽する米の保存容器製造方法。
【請求項４】
米、及び穀物一式の保存方法の中で特に難しい、白米は米糠を取り除いた時点で米としての防護機能を失い、更に糠の脂質を持ち、酸化力を増す其の度に米虫が繁殖し米に悪臭寄が付着し御飯に炊いても取れない状況に入る、此の状況を廃除するシート製作に当り、請求項１記載に示す素材の中より選び出し、選ばれた、鉱石、鉱物より吟味して、（１）カリウム、マグネシウムの粒子を揃え適度の温度で焼結し混合する、（２）更に銀入りセラミックスの粉砕混合し不織布に塗布乾燥をすると有害菌を死滅させる、其れ等（１）（２）混合したシートを作り袋の底部に当てる、更にアルミニウムの保存箱の下部に純銅板を敷き其の上に、遷移金属の触媒作用を持つ、磁性体セラミックスが袋全体に酸化を還元する作用をもたらす、純銅薄板は、米の水分の応用で伝達機能を高め袋全体の米に浸透性が高く、種類多くの鉱産物で無理なく米虫を死滅することの出来るシート作りの特徴を有する発明である、請求項１記載の紫外線、電磁波、放射線を遮蔽する米の保存容器製造方法。
【請求項５】
米、及び穀物一式の保存方法容器の設置に当り、請求項１記載に示す素材の中より選び出し、選ばれた本発明の基本、アルミニウム板を蓋付の箱に仕立てる、この方法は最高値に放射線を遮蔽する、また、白米が一番良く痛む蛍光灯の光を遮蔽が重要視するアルミニウムの素材選定を重視する、請求項３記載通りのローズヒップスを不織布に塗布した生地を中袋に仕立てる、外箱と中袋の間を少し開けると外気の空気遮蔽に優れた効果を現す、加工方法は（１）アルミニウムの薄い生地を１枚外側に重ねる、（２）ローズヒップスの塗布した生地を１〜２枚、（３）無加工不織布１枚を内側に貼り３〜４枚一組の中袋とし、ミシン仕上げとして、アルミニウム箱の内側にマジックテープで固定する、（４）中袋の口は紐、ジッパー、チヤックらで密封する、（５）中袋の中に米、や穀物を入れ保存容器なる、中袋の下、純銅薄板、磁性体、円形メタル、請求項４記載の米虫駆除シートを挟む特徴を有する保存庫の発明である、請求項１記載の紫外線、電磁波、放射線を遮蔽する、米、の保存容器製造方法。
【請求項６】
米、及び穀物一式の保存期間中に、白米に放射線セシウムに汚染された場合の除染方法として、請求項１記載に示す素材の中より選び出し選ばれた鉱産物を良く吟味し、除染不織布が重要視される、其の時に玄米と白米の汚染状況も違い、除染方法も相違が生じることを前提に考慮する、この発明の基本はそれぞれが持つ鉱産物の個性を掴み其の個性通りを堅持し、他の物質複合させない事を厳しく基本とする、更に選ぶ鉱産物同士の相性が良い事、この基本が崩れると薬害が起きるそれを、基礎としてゼオライト、クリノフチロライトとの粒子を揃え吸着性に富んでいることの確認、薬石、麦飯石の孔穴容積の小さい粒子は吸収性に富む、また、品質向上の為に亜鉛を微量混合し適度の温度で焼結する、糊と水で混合し不織布に塗布すると素晴しい吸収力あるシートが出来る、放射線セシウムは非常に粒子が小さい為、此の作業で吸収力の結晶不織布シート１枚で整う発明である、請求項１記載の紫外線、電磁波、放射線を遮蔽する、米の保存容器製造方法。
【請求項７】
米、及び穀物一式の保存期間中に外部より放射線セシウムに汚染された食品が入り込んだ場合の除染方法として、請求項１記載に示す素材の中より選び出し選ばれた素材の鉱産物を良く吟味し前記請求項６に示した通り基礎を堅持し薬害を起さぬことを基本とする、（１）放射能を持つセシウムはカリウムと非常に相性が良い、此れの応用で玄米、白米、食品にセシウムが入り込む前にカリウムで隙間を生めればセシウムの入る余地がない、這入っている場合は、誘き出し吸収、吸着する鉱物シートに吸蔵させる、（２）カリウムとカルシウムは非常に相性が良い米や穀物、野菜、植物、肉類、魚の汚染はカリウムとカルシウム粒子の共同力でセシウムを誘い出す、（３）ストロンチウム粒子は微量の元素が必要とする、食物の中で特に野菜など入り込んだセシウムを誘い出すに必要な役目である、（４）最後にマグネシウム粉砕の役目は鉱産物同士の拡散を防ぎ終結を高める、鉱産物はそれぞれに合った焼結温度で仕上げる、注意点として、鉱産物の低温焼成の薬効は即効性を促がす、逆に高温焼成は遅行性を促がすことを基本とし、放射線セシウムを除染する鉱産物混合の不織布シート１枚で整う事を基本とした発明である、請求項１記載の紫外線、電磁波、放射線を遮蔽する、米、の保存容器製造方法。
【請求項８】
米、及び穀物一式の保存期間中に保存する白米が放射線セシウムに汚染している場合の除染方法として請求項１記載の中より選び出し選ばれた、請求項５記載の通りの保存容器設置を基本とし、請求項６記載の不織布シート１組、請求項７記載の不織布シート１，組、加工なし微細目不織布１枚、計３枚を１組としてミシン加工し内袋とする、注意点として此の袋は非常に吸収力が強い為必ず守らなくてはなら無い事は、国の指針に従い放射能物質の扱いに成らない要に計測器で測定し、一般の袋ゴミとして処理にすること、また、放射線セシウムの除染目的の場合は必ず容器の外側はアルミニウム類で遮蔽する除染袋の発明である、請求項１記載の紫外線、電磁波、放射線を遮蔽する、米、の保存容器製造方法。
【請求項９】
米、及び穀物一式の保存期間中に保存庫の中に野菜、魚、等の放射線セシウムに汚染された食品の除染方法は、請求項１記載の中より選び出し選ばれた、前記、請求項６記載通りの不織布１枚、前記、請求項７記載通りの不織布１枚と微細目不織布１枚、外側にアルミニウムシート１枚計４枚を１組とし冷蔵庫の中に敷き、魚、肉、野菜を載せて包むと放射線セシウムが除去される、更に冷蔵庫内の悪臭も一気に撤去できるシート、前記、請求項８記載通りに国の指針に従い放射能物質扱いに成らない様に注意を要する発明である、請求項１記載の紫外線、電磁波、放射線を遮蔽する、米、の保存容器製造方法。
【請求項１０】
米、及び穀物一式の保存期間中に、玄米が放射線セシウムに汚染された場合の除染方法として、請求項１記載の中より選び出し選ばれた、前記、請求項６記載通りの不織布１枚、請求項７記載通りの不織布１枚、内側に米に直接触れるシートは微細目無加工不織布１枚、外側にアルミニウムシート１枚合計４枚を１組とし玄米３０ｋ出荷用袋に仕立てる、玄米は不思議な現象が起る、出荷時には放射線セシウムが現れ無くても、時間が経つと共に放射線セシウムが発生する場合の予備的考慮とし、放射線元素が玄米の中心部に固持すると推定される不思議な現象を持つ、其の為に開発された出荷用３０キロ袋口は紐で結ぶ、米の汚染度が高いと思われる玄米は２０キロ入りとし、更に放射線度の高い玄米は１５キロ入りとし、広く薄く放射線セシウムを吸収、吸蔵させる、前記の通り空袋は放射線セシウムが国の指針通り残留基準に従う目的の袋とする、また、国外の輸出用米袋に最適で米の輸出農家の喜びを待つ発明である、請求項１記載の紫外線、電磁波、放射線を遮蔽する、米、の保存容器製造方法。
【手続補正２】
【補正対象書類名】明細書
【補正対象項目名】全文
【補正方法】変更
【補正の内容】
【発明の詳細な説明】
【技術分野】
【０００１】  本発明は、米、及び穀物一式を紫外線、電磁波、放射線を遮蔽して被曝をさけ、安全なビタミンを多く含む米の保存容器とする。
【背景技術】
【０００２】  従来は、食品保存に紫外線、電磁波、放射線の遮蔽にアルミニウム板を放射物質遮蔽とし容器に仕立てた食品安全容器は実用化したことはない。【０００３】  ビタミンＣ，Ａ，Ｂ，Ｅを多く含むローズヒップスで米、穀物の鮮度保持として使われることはない、更に密封容器にして銀混合セラミックスと純銅薄板と複合殺菌臭と鉱産物の効力も応用し多くの服産物で米虫や害虫を駆除したことは無い。
【発明の開示】
【発明が解決しようとする課題】
【０００４】  従来及び、現在もローズヒップスのビタミンで穀物の鮮度保持は考えていない、
そして、ローズヒップスのビタミンＡ，Ｂ，Ｃ，Ｅの栄養素を穀物に付着させることは、其の穀物を食する時に非常に有益な栄養素である。【０００５】  また、食用米、及び穀物一式に繁殖する害虫駆除にカリウム、カルシウム、亜鉛の鉱産物を粒子分子として、それぞれ適度温度で焼結すると害虫駆除をする。【０００６】  本発明基本、米、穀物一式の安全な保存容器製作に着き其の容器に使われる素材一式の選びが基本で更に最初の加工によって此の発明基準がきまる。【０００７】  また、紫外線、電磁波、放射線の遮蔽は本発明の保存袋の基本される、其の為にビタミン全体を崩壊させない工夫が必要な基本とする。【０００８】  そして、米穀物にローズヒップスのビタミン系列の香りや栄養素をアルミニウム板の密封の為に袋全体に充満し安全な保存方法とすることができる。【０００９】  また、穀物に避けて通れない梅雨場、夏に懸けて害虫駆除に悩まされる、此の害虫駆除に純銅薄板や磁性体セラミックス、尚、鉱産物の多種類の素材で完全に死滅させることが出来る。
【発明の効果】
【００１０】  本発明は、請求項１記載より順序に従い請求項１０記載に至るまで的確な作業を実施することにより、米及び穀物一式を安全な保存容器とする事ができる。
【発明を実施する為の最良の形態】
【００１１】  本発明は、食品に対して今まで使用者の方々は穀物の保存について色々と工夫を試されているが、皆、薬品やトウガラシなどで其の成果を試みていたが前面からすると結果は良くないと考えている。
【００１２】  そこで、本発明が生まれたその基本は、不織布などに塗布する素材の吟味と素材全体を充分に活かし製作した結果によるものである。
【実施例】
【００１３】  本発明は、米、及び穀物一式の安全な保存容器製作につき其の成果を発揮する為に、最初に本製品に必要な素材一つ一つの固定加工が必要である。【００１４】  請求項１記載の素材全部を最初に固定加工した後に本製造に移る、例として、不織布は、長尺物で最初にローズヒップスの粉体を塗布する準備に入る、純銅薄板、銀粉混合セラミックス、カリウム、マグネシウム、亜鉛の鉱産物の混合と不は多くの種類複合で無理なく確実に害虫を死滅させることが出来る。【００１５】  磁性体セラミックスは磁性を覆わせたセラミックス、アェライトで製作し円形メタルを作る、混合カルシウムは、素材全体のアルカリ、酸性度で配合を決定する。【００１６】  また、銀入りセラミックスはね害虫死滅に必要な素材である、しかし、単価が高騰の為その他鉱産物の複合殺菌を求める。【００１７】  請求項２記載に示した通り、米、及び穀物一式を保存する為に請求項１記載の中より紫外線、電磁波、放射線の遮蔽は穀物にとって重大な役目をはたす。【００１８】  そこで、本発明に示すアルミニウム板の遮蔽は、紫外線、電磁波、放射線、外気熱、部屋内の蛍光灯の光、の遮蔽に役立つ、其の濃度は測定機を使い実施減少に従う。【００１９】  素材の応用方法は、過去も現在も余り実施されていないように見受けられる、ローズヒップスはハーブティとして高く評価されている、しかし、本発明目的はローズヒップスのビタミン系を長期間保護する工夫が大切な発明である。【００２０】  請求項３記載に示す様に、製品化前に個々の素材準備加工終えた、ローズヒップスを粉砕にして糊、水と紺練し不織布の厚い生地に塗布する、不織布以外の薄い生地効果が無い。【００２１】  請求項４記載に示す害虫駆除について、白米は玄米の外側糠を取り除き裸の状態に成っている、其処に糠の脂質部が吸着し米虫の発生源に成る、又其れにより白米に匂いが着く此の匂いは洗っても炊いても取れない臭気の付着に悩まされる現状を繰りやする為の発明である。【００２２】  米虫を死滅させる為に、鉱産物と磁性体の共同力活用を基本に下に敷く純銅薄板の連達機能を絶大に発揮する方法として、米全体米が持つ水分を伝いその機能を発揮する。【００２３】  また、鉱産物は請求項４記載に示す方法を厳禁重視し、少しでも違いが生じると薬害を起す恐れがある。【００２４】  そして、純銅薄板に乗せる塗布生地や銀混入セラミックスを敷いた生地に直接触れない為に中袋の下に敷く。【００２５】  請求項５記載に示す本発明の基本である、アルミニウムの蓋着き箱を作成する、その中に白米が一番良く痛む一般家庭の蛍光灯の下は米に傷を着ける源である。【００２６】  そこで、請求項５記載の通りローズヒップスの塗布生地３−４枚を一組として中袋とし外側の箱との間を少し空けて設置すると外気との混合臭気を避けることの大きな役目となる。【００２７】  本保存袋を袋に仕立てる時に糊材で付着仕上は出着ない理由、ローズヒップスの粉黛や鉱産物粒子の付着布は糊付け不可能で必ずミシン加工を必要とする。【００２８】  そして、中袋の口は紐、ジッパー等で空気の出入りを止める、白米保存には必ず欠かすことの出着ない害虫予防を第一の基本として考慮に入れる。【００２９】  請求項６記載��示す通り、米、及び穀物保存庫で保存している中で放射線セシウムに汚染された米が入り込んだ場合の除染方法を説明する。【００３０】  まず基本の吸着させる不織布作成に当り、吸着能力あるゼオライト、クリノブチロライト沸石と薬石、麦飯石の得意の機能を活かすことを重点に作成した。【００３１】  そして、放射線セシウムは粒子が特に小さいので其れに合った孔穴容積の小さい粒子は吸収性に富む、また、資質向上の為に亜鉛を微量混合する、そして、請求項６記載に示した通りに従うことが最大基本と成る。【００３２】  請求項７記載に示す通り、鉱産物の特性に従い（１）鉱産物は相性を見て加工に移り例として、放射線セシウムはカリウムと非常に相性が良い（２）カリウムはカルシウムと非常に相性が良い（３）また、カルシウムはストロンチウムの粒子と非常に相性がよい
其れ等の粒子作成と粒子の大きさに最大の気を使うことを忘れぬ様に。【００３３】  更に気遣いの一端として、鉱産物の焼成温度はそれぞれが持つ適正温度を探る事更に、鉱産物全体でそれぞれが持つ適正温度より低い場合は即効性効果を現す逆に適正温度より高い場合は、遅効性効果を表す。【００３４】  そして、米や食品が放射線セシウムに汚染去れた場合の除染方法として、多く種類の鉱産物を混合し不織布に塗布する、不織布以外（ぬの）類には塗布しないこと、そして、請求項７記載に示した通りに充分に気を着けて実行力を上げる必要。【００３５】  請求項８記載に示した通り、白米が放射線セシウムに汚染された場合の除染方法として、請求項６記載のゼオライト系シート１枚、請求項７記載のカリウム、カルシウムの特性シート１枚、加工なし不織布１枚計３枚を１組とし必ずミシン加工とする。【００３６】  そして、放射線除染目的とする場合は必ず外側はアルミニウム板及びシートで囲むことか第一の基本とする。【００３７】  また、食品保存庫内の放射能除染目的の場合は、請求項６記載に示すゼオライトの吸着性を吸収性及び吸蔵性に変えたセラミックス素材一枚を組み込む。【００３８】  そして、請求項７記載に示す素材の中で鉱産物の配列の相性が良くそれぞれが持つ独自の基本通りにした素材である為に請求項８記載目的通りの性能を活かす。【００３９】  請求項９記載に示す発明は元々本発明に必要な素材開発に出来上がった不織布シートの応用で冷蔵庫内の悪臭除去に使うことが出来る。【００４０】  そして、魚が放射線セシウムに汚染された場合の除染方法に最適で有る、ただ気を着ける事は、放射線セシウムが国の放射線指針に従い汚染物に成らない様に注意。【００４１】  請求項１０記載に示す通り、玄米が放射線セシウムに汚染された場合の除染方法として、請求項１記載の中より吟味し、放射線の除染に必要な素材を充分に確認し間違いない方法を探る。【００４２】  特に放射線セシウムは一般に考えられない行動を起す、例として、硬い物ほど物質進入するそして、一端進入したセシウムはいずれかの場所で多く現れると推察する。【００４３】  例として、玄米と白米にセシウムが浸透する場合は外側が硬い玄米の方に這入り易い、そこで入り込んだセシウム除染方法として、セシウムを誘い出す、カリウム、カルシウム、ストロンチウム、まとめ役としてマグネシウムの共同力を借りた発明である。【００４４】  また、請求項１０記載に示す放射線セシウムの除染袋として発表する場合はあらゆる機能と其れにまつわる、また、国の放射能基準に従う為には放射能物質を薄く吸収させる為に吸収する範囲を広くとる、更に、請求項１０記載基準に従うこと。【００４５】  そこで、放射線セシウムに除染された場合の国の基準に従い薄く、広く吸収面積を取る為に現在の放射線セシウムの除染袋は、３０キロ用です、前記の基本を考慮に入れて、２０キロ入り、１５キロ入りとして、国の基準通りの従うことの出来る除染袋。【００４６】  此の除染袋は、国外に輸出米に無くては成らない袋として扱われる発明である、農家の方々が高額で輸出米出荷出来て喜びをもたれることを目的とした発明である。
【図面の簡単な説明】
【００４７】
【図１】  此の発明は請求項５記載した、アルミニウム箱を設置した図である。
【図２】  この図は請求項３、４、５記載に示した、３枚１組の中袋の図である。
【図３】  此の図は、請求項８記載に示す、３枚を重ねた図。
【図４】  此の図は保存箱の下に敷く純銅と磁性対セラミックス円形メタルの図。
【図５】  此の図は請求項９記載に示した図。
【図６】  此の図は、請求項１０に示した通りの玄米保管袋３０キロ用の袋図。
【符号の説明】
【００４８】１〜  アルミニウムの箱米の保存庫。
２〜  アルミニウムの箱蓋。
３〜  箱の  取って。
４〜  箱の下の足。
５〜  中袋の口を閉める、ジッパー、チャック固定する。
６〜  袋の中に入る米類。
７〜  加工しない無地の不織布１枚。
８〜  ローズヒップスで塗布したシート１枚。
９〜  ローズヒップスで塗布したシート１枚を重ねて３枚で１組の中袋とする。
１０〜鉱産物加工シート袋の口をジッパー、チャック等で固定し閉める。
１１〜汚染米を入れる。
１２〜加工しない無地不織布１枚。
１３〜ゼオライト混合物の塗布シート１枚。
１４〜カリウムらの除染する目的のシート１枚を重ね３枚１組の除染する袋。
１５〜箱の下に敷く純銅。
１６〜磁性体セラミックス円形メタル。
１７〜円形メタルの中に穴をあける。
１８〜鉱産物混入で害虫駆除シート。
１９〜此の図は請求項９に示した魚などの鮮度保持シートの図。
２０〜此の図は魚の除染に使われている図。
２１〜此の図は米袋を紐で結ぶ図。
２２〜此の図は米に触れる為加工なしのシートしーとする。
２３〜此の図はカリウムの混入シートの袋の図。
２４〜此の図はゼオライトいりシートの袋の図。
２５〜此の図はアルミニウムシートを外壁に囲う図。
２６〜此の図は放射線セシウムに汚染された米、食品の図。
【手続補正４】
【補正対象書類名】図面
【補正対象項目名】全図
【補正方法】変更
【補正の内容】
【図１】
2012206778.tif 000008
【図２】
2012206778.tif 000009
【図３】
2012206778.tif 000010
【図４】
2012206778.tif 000011
【図５】
2012206778.tif 000012
【図６】
2012206778.tif 000013